(57)【要約】【課題】本発明は、部屋干しした洗濯物を効率よく乾燥させることができる空気調和機を提供する。【解決手段】本発明の空気調和機は、熱交換部と、送風部と、熱交換部及び送風部を制御するように設けられた第１制御部と、第１通信部とを備える。空気調和機は、部屋干し運転モードを有し、部屋干し運転モードは、空気調和機を設置した部屋に干された洗濯物を乾燥させるように第１制御部が熱交換部及び送風部を制御する運転モードである。第１制御部は、洗濯機による洗濯の洗濯物情報又は洗濯物情報に基づきサーバーにより算出された運転制御情報を洗濯機又はサーバーから第１通信部を介して受信するように設けられ、洗濯物情報は、洗濯機による洗濯の洗濯物の重量を少なくとも含み、第１制御部は、部屋干し運転モードにおいて洗濯物情報又は運転制御情報に基づき運転時間、設定温度及び風量のうち少なくとも１つを制御するように設けられる。【選択図】図２
2020034197.tif 000002
【特許請求の範囲】
【請求項１】
熱交換部と、送風部と、前記熱交換部及び前記送風部を制御するように設けられた第１制御部と、第１通信部とを備えた空気調和機であって、
前記空気調和機は、部屋干し運転モードを有し、
前記部屋干し運転モードは、前記空気調和機を設置した部屋に干された洗濯物を乾燥させるように第１制御部が前記熱交換部及び前記送風部を制御する運転モードであり、
第１制御部は、洗濯機による洗濯の洗濯物情報又は前記洗濯物情報に基づきサーバーにより算出された運転制御情報を前記洗濯機又は前記サーバーから第１通信部を介して受信するように設けられ、
前記洗濯物情報は、前記洗濯機による洗濯の洗濯物の重量を少なくとも含み、
第１制御部は、前記部屋干し運転モードにおいて前記洗濯物情報又は前記運転制御情報に基づき運転時間、設定温度及び風量のうち少なくとも１つを制御するように設けられたことを特徴とする空気調和機。
【請求項２】
第１制御部は、前記空気調和機が前記部屋干し運転モードで運転した後の洗濯物の乾燥状態のユーザーのアンケート結果又は前記アンケート結果に基づき算出された前記運転制御情報を受信するように設けられ、かつ、前記部屋干し運転モードにおいて前記アンケート結果又は前記運転制御情報に基づき運転時間、設定温度及び風量のうち少なくとも１つを制御するように設けられた請求項１に記載の空気調和機。
【請求項３】
前記空気調和機は、前記部屋に干された洗濯物の温度を測定するように設けられた赤外線センサを備え、
第１制御部は、前記部屋干し運転モードにおいて前記赤外線センサにより測定された洗濯物の温度に基づき、運転時間、設定温度、風量及び風向きのうち少なくとも１つを制御するように設けられた請求項１又は２に記載の空気調和機。
【請求項４】
請求項１〜３のいずれか１つに記載の空気調和機と、前記洗濯機とを備えた空気調和機−洗濯機連携システムであって、
前記洗濯機は、前記洗濯機内の洗濯物の重量を測定する重量測定部と、前記洗濯機による洗濯及び前記重量測定部を制御する第２制御部と、前記洗濯物の重量を第１制御部又はサーバーへ送信するように設けられた第２通信部とを備え、
第１制御部は、前記重量測定部により測定された洗濯物の重量又は前記重量に基づき前記サーバーにより算出された前記運転制御情報を第１通信部を介して受信するように設けられた空気調和機−洗濯機連携システム。
【請求項５】
第２制御部は、天気情報又は前記天気情報に基づき前記サーバーにより算出された洗濯制御情報を第２通信部を介して受信するように設けられ、かつ、前記天気情報又は前記洗濯制御情報に基づき洗濯時の脱水時間を変更するように設けられた請求項４に記載の連携システム。
【請求項６】
前記洗濯機は、通知部を備え、
第２制御部は、前記天気情報に基づき、前記部屋干し運転モードにより洗濯物を乾燥させることを前記通知部を介してユーザーに勧めるように設けられた請求項５に記載の連携システム。
【請求項７】
前記連携システムは、第２通信部又は前記サーバーが送信した情報を受信するように設けられた情報機器を備え、
前記情報機器は、前記天気情報に基づき前記部屋干し運転モードにより洗濯物を乾燥させることをユーザーに勧めるように設けられた請求項５又は６に記載の連携システム。
【発明の詳細な説明】
【技術分野】
【０００１】
本発明は、空気調和機及び空気調和機−洗濯機連携システムに関する。
【背景技術】
【０００２】
雨や雪が降っている日、花粉や黄砂が飛んでいる日など洗濯物を外に干せない場合、洗濯物を部屋干しすることがある。しかし、部屋干しした洗濯物は、乾きにくく乾燥させるのに長時間を必要とする。また、部屋干しした洗濯物から生乾き臭がする場合がある。
部屋干しした洗濯物を乾燥させる乾燥運転モードを備えた空気調和機が知られている（例えば、特許文献１）。この乾燥運転モードでは、リモコンを用いて乾燥させたい衣類の大まかな重量を空気調和機に入力させ、この入力した重量に基づいて運転時間を設定している。このような空気調和機を用いると、部屋干しした洗濯物を迅速に乾燥させることができる。
【先行技術文献】
【特許文献】
【０００３】
【特許文献１】特開２００６−１５３３９６号公報
【発明の概要】
【発明が解決しようとする課題】
【０００４】
従来の空気調和機の乾燥運転モードでは、ユーザーが洗濯物の重量を推測又は測定し、空気調和機に入力する必要がある。また、正確な洗濯物の重量を空気調和機に入力することができないため、空気調和機の運転時間が短すぎ洗濯物を十分に乾燥できない場合や、空気調和機の運転時間が長すぎエネルギー損失が生じる場合がある。
本発明は、このような事情に鑑みてなされたものであり、部屋干しした洗濯物を効率よく乾燥させることができる空気調和機を提供する。
【課題を解決するための手段】
【０００５】
本発明は、熱交換部と、送風部と、前記熱交換部及び前記送風部を制御するように設けられた第１制御部と、第１通信部とを備えた空気調和機であって、前記空気調和機は、部屋干し運転モードを有し、前記部屋干し運転モードは、前記空気調和機を設置した部屋に干された洗濯物を乾燥させるように第１制御部が前記熱交換部及び前記送風部を制御する運転モードであり、第１制御部は、洗濯機による洗濯の洗濯物情報又は前記洗濯物情報に基づきサーバーにより算出された運転制御情報を前記洗濯機又は前記サーバーから第１通信部を介して受信するように設けられ、前記洗濯物情報は、前記洗濯機による洗濯の洗濯物の重量を少なくとも含み、第１制御部は、前記部屋干し運転モードにおいて前記洗濯物情報又は前記運転制御情報に基づき運転時間、設定温度及び風量のうち少なくとも１つを制御するように設けられたことを特徴とする空気調和機を提供する。
【発明の効果】
【０００６】
本発明の空気調和機では、通信部を介して洗濯物の重量又は運転制御情報を受信し、洗濯物の重量又は運転制御情報に基づいて運転時間などを制御する。このため、部屋干しした洗濯物を効率よく乾燥させることができ、エネルギー損失を少なくすることができる。
【図面の簡単な説明】
【０００７】
【図１】本発明の一実施形態の空気調和機−洗濯機連携システムの概略構成図である。
【図２】本発明の一実施形態の空気調和機−洗濯機連携システムの構成を示すブロック図である。
【発明を実施するための形態】
【０００８】
本発明の空気調和機は、熱交換部と、送風部と、前記熱交換部及び前記送風部を制御するように設けられた第１制御部と、第１通信部とを備える。前記空気調和機は、部屋干し運転モードを有し、前記部屋干し運転モードは、前記空気調和機を設置した部屋に干された洗濯物を乾燥させるように第１制御部が前記熱交換部及び前記送風部を制御する運転モードであり、第１制御部は、洗濯機による洗濯の洗濯物情報又は前記洗濯物情報に基づきサーバーにより算出された運転制御情報を前記洗濯機又は前記サーバーから第１通信部を介して受信するように設けられ、前記洗濯物情報は、前記洗濯機による洗濯の洗濯物の重量を少なくとも含み、第１制御部は、前記部屋干し運転モードにおいて前記洗濯物情報又は前記運転制御情報に基づき運転時間、設定温度及び風量のうち少なくとも１つを制御するように設けられる。
【０００９】
本発明の空気調和機に含まれる第１制御部は、空気調和機が部屋干し運転モードで運転した後の洗濯物の乾燥状態のユーザーのアンケート結果又はアンケート結果に基づき算出された運転制御情報を受信するように設けられることが好ましい。また、第１制御部は、部屋干し運転モードにおいてアンケート結果又は運転制御情報に基づき運転時間、設定温度及び風量のうち少なくとも１つを制御するように設けられたことが好ましい。このことにより、空気調和機を設置した部屋、洗濯物の干し方及び洗濯物を干した位置に最適な運転時間、設定温度などで部屋干しした洗濯物を乾燥させることができる。
本発明の空気調和機は、部屋に干された洗濯物の温度を測定するように設けられた赤外線センサを備えることが好ましい。また、第１制御部は、部屋干し運転モードにおいて赤外線センサにより測定された洗濯物の温度に基づき、運転時間、設定温度、風量及び風向きのうち少なくとも１つを制御するように設けられることが好ましい。このことにより、部屋干しした洗濯物を効率的に乾かすことができる。
【００１０】
本発明は、本発明の空気調和機と、洗濯機とを備えた空気調和機−洗濯機連携システムも提供する。洗濯機は、洗濯機内の洗濯物の重量を測定する重量測定部と、洗濯機による洗濯及び重量測定部を制御する第２制御部と、洗濯物の重量を第１制御部又はサーバーへ送信するように設けられた第２通信部とを備えることが好ましい。第１制御部は、重量測定部により測定された洗濯物の重量又は前記重量に基づきサーバーにより算出された運転制御情報を第１通信部を介して受信するように設けられることが好ましい。このことにより、部屋干しした洗濯物を効率よく乾燥させることができる。
前記洗濯機に含まれる第２制御部は、天気情報又は天気情報に基づきサーバーにより算出された洗濯制御情報を第２通信部を介して受信するように設けられることが好ましい。また、第２制御部は、天気情報又は洗濯制御情報に基づき洗濯時の脱水時間を変更するように設けられることが好ましい。この天気情報から部屋干しする可能性が高いと第２制御部が判断した場合、脱水時間を長くすることができ、洗濯物の水分をより多く除去することが可能になる。
【００１１】
前記洗濯機は、通知部を備えることが好ましい。第２制御部は、天気情報に基づき、部屋干し運転モードにより洗濯物を乾燥させることを通知部を介してユーザーに勧めるように設けられることが好ましい。このことにより、洗濯物を干す時間帯の天気予報が雨であることをユーザーが知ることができる。
本発明の空気調和機−洗濯機連携システムは、第２通信部又はサーバーが送信した情報を受信するように設けられた情報機器を備えることが好ましい。また、情報機器は、天気情報に基づき部屋干し運転モードにより洗濯物を乾燥させることをユーザーに勧めるように設けられることが好ましい。このことにより、洗濯物を干す時間帯の天気予報が雨であることをユーザーが知ることができる。
【００１２】
以下、複数の実施形態を参照して本発明をより詳細に説明する。図面や以下の記述中で示す構成は、例示であって、本発明の範囲は、図面や以下の記述中で示すものに限定されない。
【００１３】
第１実施形態
図１は、本実施形態の空気調和機−洗濯機連携システムの概略構成図である。図２は、本実施形態の空気調和機−洗濯機連携システムの構成を示すブロック図である。
本実施形態の空気調和機１８は、熱交換部２と、送風部３と、熱交換部２及び送風部３を制御する第１制御部４と、第１通信部５とを備える。空気調和機１８は、部屋干し運転モードを有し、部屋干し運転モードは、空気調和機１８を設置した部屋に干された洗濯物２１を乾燥させるように第１制御部４が熱交換部２及び送風部３を制御する運転モードであり、第１制御部４は、洗濯機３０による洗濯の洗濯物情報又は洗濯物情報に基づきサーバー３７により算出された運転制御情報を洗濯機３０又はサーバー３７から第１通信部５を介して受信するように設けられ、洗濯物情報は、洗濯機３０による洗濯の洗濯物２１の重量を少なくとも含み、第１制御部４は、部屋干し運転モードにおいて洗濯物情報又は運転制御情報に基づき運転時間、設定温度及び風量のうち少なくとも１つを制御するように設けられる。
【００１４】
本実施形態の空気調和機−洗濯機連携システムは、本実施形態の空気調和機１８と、洗濯機３０とを備える。洗濯機３０は、洗濯機３０内の洗濯物２１の重量を測定する重量測定部２６と、洗濯機３０による洗濯及び重量測定部２６を制御する第２制御部２５と、洗濯物２１の重量を第１制御部４又はサーバー３７へ送信するように設けられた第２通信部２７とを備える。第１制御部４は、重量測定部２６により測定された洗濯物２１の重量又は前記重量に基づきサーバー３７により算出された運転制御情報を第１通信部５を介して受信するように設けられる。
【００１５】
空気調和機１８は、空気を調和するための機器であり、例えば、１つの室外機１７と１つの室内機１６とが冷媒流路１３で接続された構成を有することができる。
空気調和機１８は、熱交換部２と、送風部３と、熱交換部２及び送風部３を制御する第１制御部４と、第１通信部５とを備える。また、空気調和機１８は、室温温度計１０、室外温度計１１、湿度センサ１４を備えることができる。
【００１６】
熱交換部２は、室内熱交換器６と、室外熱交換器７と、圧縮機１２と、冷媒流路１３とを含むことができる。
冷媒流路１３は、室内熱交換器６、室外熱交換器７及び圧縮機１２を巡回する冷媒が流れる流路である。冷媒流路１３は、冷媒が流れる向きを逆転させることができるように設けられる。このことにより、空気調和機１８の冷房運転（又は除湿運転）と暖房運転を切り替えることができる。
圧縮機１２は、冷媒を圧縮し、昇温させる部分である。圧縮機１２はモータを備え、このモータの回転数をインバータ回路（第１制御部４）で制御することにより、冷房パワー又は暖房パワーを制御することができる。
【００１７】
室外熱交換器７は、冷媒流路１３を流れる冷媒と、外気との間で熱交換する部分である。冷房運転の場合、室外熱交換器７において室外ファン９により送風される外気により冷媒を冷却し、暖房運転の場合、室外熱交換器７において室外ファン９により送風される外気により冷媒を暖める。
【００１８】
室内熱交換器６は、冷媒流路１３を流れる冷媒と、室内の空気との間で熱交換する部分である。冷房運転の場合、室内熱交換器６は冷たくなり、室内ファン８（送風部３）により送風又は吸引される室内の空気は室内熱交換器６により冷却される。このため、室内の気温を低下させることができる。また、冷房運転（除湿運転）の場合、室内の空気に含まれる湿気は、室内熱交換器６において水滴となり、室外へ排出される。このため、室内の空気の湿度を低下させることができる。
暖房運転の場合、室内熱交換器６は暖かくなり、室内ファン８（送風部３）により送風又は吸引される室内の空気は室内熱交換器６により暖められる。このため、室内の気温を上昇させることができる。
【００１９】
送風部３は、室内ファン８とルーバー１５を含むことができる。室内ファン８は、室内の空気を室内機１６に取り込み、室内の空気と室内熱交換器６との間で熱交換した後の空気を室内機１６から送風するファンである。ルーバー１５は、室内機１６から送風する空気の向きを制御する部分である。
【００２０】
第１制御部４は、熱交換部２、送風部３などを制御するように設けられた部分である。第１制御部４は、例えば、ＣＰＵ、メモリ（記憶部）、タイマー、入出力ポートなどを有するマイクロコントローラを含むことができる。第１制御部４に含まれる記憶部は、マスクROM, EPROM, EEPROM, フラッシュメモリなどのROMと、FeRAM, SRAM, DRAMなどのRAMを含むことができる。第１制御部４は、圧縮機１２のモータの回転数を制御するインバータ回路を含むことができる。また、第１制御部４は、信号線又は電力線で接続された複数の制御基板から構成されてもよい。
【００２１】
第１通信部５は、有線又は無線で外部機器と通信する部分である。第１制御部４は、第１通信部５を介して外部機器と通信することができる。第１通信部５は、洗濯機３０が備える第２通信部２７とルーター３６を介して通信できるように設けられてもよい。また、第１通信部５は、洗濯機３０が備える第２通信部２７と直接通信できるように設けられてもよい。また、第１通信部５は、ルーター３６を介してインターネット網３８にアクセスできるように設けられてもよく、直接インターネット網３８にアクセスできるように設けられてもよい。また、第１通信部５は、サーバー３７にアクセスできるように設けることができる。サーバー３７は、ホームサーバーであってもよく、インターネット網３８のクラウドサーバーであってもよい。サーバー３７は、第１通信部５及び第２通信部２７と通信できるコンピューターである。サーバー３７は、人工知能を備えてもよい。
第１通信部５の通信方式は、例えば、有線ＬＡＮ方式、無線ＬＡＮ方式、Bluetooth（登録商標）、ZigBee（登録商標）又はＬＰＷＡである。第１通信部５は、空気調和機１８に内蔵されたものであってもよく、空気調和機１８に外付けされたものであってもよい。
【００２２】
洗濯機３０は、洗濯を行う機械であり、縦型洗濯機であってもよく、２槽式洗濯機であってもよく、ドラム式洗濯機であってもよい。
洗濯機３０は、洗濯機３０内（回転槽２０内）の洗濯物２１の重量を測定する重量測定部２６を備える。重量測定部２６は、例えば、回転槽２０又は回転はねを回転させるモータ２２と、このモータ２２に電力を供給する電源部と、第２制御部２５の一部とを含むことができる。例えば、第２制御部２５により、回転槽２０内に洗濯物２１を収容した状態でモータ２２に一定の電力を供給して回転槽２０又は回転はねを回転させて得られた回転数と、回転槽２０内に洗濯物２１が収容されていない状態でモータ２２に一定の電力を供給して回転槽２０又は回転はねを回転させて得られた回転数とに基づき洗濯物２１の重量を算出することができる。重量測定部２６は、給水部２３により洗濯槽に水を供給する前に洗濯物２１の重量を測定してもよく、脱水後に洗濯物２１の重量を測定してもよい。
【００２３】
洗濯機３０は、洗濯機３０による洗濯を制御する第２制御部２５を備える。第２制御部２５は、例えば、回転槽用モータ２２、給水部２３、排水部２４、第２通信部２７などを制御するように設けることができる。第２制御部２５は、例えば、ＣＰＵ、メモリ（記憶部）、タイマー、入出力ポートなどを有するマイクロコントローラを含むことができる。第２制御部２５は、信号線又は電力線で接続された複数の制御基板から構成されてもよい。
【００２４】
洗濯機３０は、第２通信部２７を備える。第２通信部２７は、有線又は無線で外部機器と通信する部分である。第２制御部２５は、第２通信部２７を介して外部機器と通信することができる。第２通信部２７は、空気調和機１８が備える第１通信部５とルーター３６を介して通信できるように設けられてもよい。また、第２通信部２７は、第１通信部５と直接通信できるように設けられてもよい。また、第２通信部２７は、ルーター３６を介してインターネット網３８にアクセスできるように設けられてもよく、直接インターネット網３８にアクセスできるように設けられてもよい。また、第２通信部２７は、サーバー３７にアクセスできるように設けることができる。サーバー３７は、ホームサーバーであってもよく、インターネット網３８のクラウドサーバーであってもよい。
第２通信部２７の通信方式は、例えば、有線ＬＡＮ方式、無線ＬＡＮ方式、Bluetooth（登録商標）、ZigBee（登録商標）又はＬＰＷＡである。
【００２５】
空気調和機１８は、部屋干し運転モードを有する。部屋干し運転モードは、空気調和機１８を設置した部屋に干された洗濯物２１を乾燥させるように第１制御部４が熱交換部２及び送風部３を制御する運転モードである。
第１制御部４は、部屋干し運転モードにおいて洗濯物情報又は運転制御情報に基づき運転時間、設定温度及び風量のうち少なくとも１つを制御するように設けられる。
洗濯物情報は、洗濯機３０で洗濯した洗濯物２１に関する情報であり、洗濯機３０による洗濯の洗濯物２１の重量を少なくとも含む。
運転制御情報は、洗濯物情報に基づきサーバー３７により算出された情報であり、部屋干し運転モードで運転する空気調和機１８を制御するための情報（例えば、運転時間、設定温度、風量など）である。
【００２６】
洗濯機３０を用いて洗濯物２１を洗濯する際に、重量測定部２６により洗濯物２１の重量を測定し、測定した重量（洗濯物情報）を第２制御部２５の記憶部又はサーバー３７の記憶部に保存する。重量測定部２６は、例えば、洗濯開始前の洗濯物２１の重量、脱水前の洗濯物２１の重量、脱水後の洗濯物２１の重量などを測定し、記憶部に保存することができる。
また、洗濯機３０は、洗濯物情報として、選択された洗濯コース、脱水時間、脱水前後の重量変化、洗濯の日時などを記憶部に保存することができる。
【００２７】
ユーザーは、洗濯機３０により洗濯した洗濯物２１を部屋干しして、空気調和機１８を部屋干し運転モードで運転させる。また、第１制御部４又はサーバー３７は、洗濯機３０による洗濯が終了した後所定の時間内に部屋干し運転モードで空気調和機１８が運転された場合、この洗濯の洗濯物２１を部屋干しして乾燥させるとみなすことができる。
部屋干し運転モードでは、第１制御部４は、室温温度計１０及び室外温度計１１の出力に基づき室温及び外気温を算出する。これらの温度に基づき、第１制御部４は、除湿運転（冷房運転）により洗濯物２１を乾燥させるか、又は暖房運転により洗濯物２１を乾燥させるか決定する。例えば、室温及び外気温が２９℃以上の場合除湿運転を選択し、室温及び外気温が２８℃以下の場合暖房運転を選択する。また、第１制御部４は、除湿運転と暖房運転を組み合わせて洗濯物２１を乾燥させることを選択してもよい。
【００２８】
次に、第１制御部４は、洗濯機３０の洗濯物情報（重量測定部２６により測定した洗濯物２１の重量など）を洗濯機３０又はサーバー３７から第１通信部４を介して受信することができる。このことにより、第１制御部４は、乾かす洗濯物２１の正確な重量を受信することができる。この受信した洗濯物２１の重量（洗濯物情報）に基づき、第１制御部４は、部屋干し運転モードによる運転時間、設定温度、風量などを決定することができる。
また、サーバー３７が洗濯機３０の洗濯物情報（重量測定部２６により測定した洗濯物２１の重量など）に基づき、部屋干し運転モードによる運転時間、設定温度、風量など（運転制御情報）を算出してもよい。この場合、第１制御部４は、サーバー３７から第１通信部４を介してこの運転制御情報を受信する。
【００２９】
例えば、洗濯物２１の重量が大きい場合、第１制御部４又はサーバー３７は、暖房運転の設定温度を高くし、運転時間を長くする。また、洗濯物２１の重量が小さい場合、第１制御部４又はサーバー３７は、暖房運転の設定温度を低くし、運転時間を短くする。また、運転時間が長くなる場合、第１制御部４又はサーバー３７は、空気調和機１８からプラズマクラスターイオン（ＰＣＩ）が放出されるように設定してもよい。
次に、第１制御部４は、決定又は受信した運転時間、設定温度、風量などで熱交換部２、送風部３などを制御して洗濯物２１を乾燥させる（部屋干し運転モード）。このことにより、部屋干しした洗濯物２１を効率よく乾燥させることができ、エネルギー損失を少なくすることができる。
また、暖房運転により洗濯物２１を乾燥させる場合、部屋干し運転モードでの運転時間の最後に冷房運転を行い、部屋の温度及び湿度を下げることができる。
【００３０】
第２実施形態
第２実施形態では、第１制御部４は、空気調和機１８が部屋干し運転モードで運転した後の洗濯物２１の乾燥状態のユーザーのアンケート結果又はアンケート結果に基づき算出された運転制御情報を受信するように設けられる。
洗濯物２１の乾燥状態のアンケートは、情報機器３５又はリモコン４２を用いて行うことができる。
【００３１】
情報機器３５は、第１制御部４又はサーバー３７と通信できる情報機器である。情報機器３５は、第１通信部５又はサーバー３７と直接通信するものであってもよく、ルーター３６又はインターネット網３８を介して第１通信部５又はサーバー３７と通信するものであってもよい。情報機器３５は、例えば、スマートフォン、パーソナルコンピュータ、モバイルコンピュータ、携帯電話、スマートウォッチなどである。また、情報機器３５とサーバー３７は、同一機器であってもよい。
リモコン４２は、空気調和機１８の運転モード、設定温度、運転停止などを設定するために用いられる機器である。
【００３２】
空気調和機１８を部屋干し運転モードで運転させた後、ユーザーは洗濯物２１が乾いていることを確認して洗濯物２１をたたみ、タンスなどに収納する。洗濯物２１の乾き具合が不十分な場合、ユーザーは洗濯物２１が十分に乾くまで空気調和機１８をさらに運転させる。
第１制御部４は、空気調和機１８の部屋干し運転モードでの運転が終了すると、信号を情報機器３５に送信する。この信号を情報機器３５が受信すると、情報機器３５はユーザーが洗濯物２１の乾燥状態を入力するアンケートをディスプレイに表示させる。例えば、(1)よく乾いている、(2)乾いている、(3)湿っている部分がある、(4)まだ乾いていないなどとディスプレイに表示させユーザーが(1)〜(4)のいずれか１つを選択できるようにする。また、アンケートでは、洗濯物２１の種類（綿、ポリエステル、ウールなどの素材、うすい服、厚い服、毛布、シーツ）などを選択できるようにする。
【００３３】
情報機器３５は、ユーザーがアンケートに入力すると、アンケート結果を空気調和機１８の第１制御部４又はサーバー３７に送信し、第１制御部４又はサーバー３７がこのアンケート結果を受信し記憶部に記憶する。
ユーザーがリモコン４２でアンケートに答える場合、リモコン４２のボタンからアンケート結果を空気調和機１８の赤外線受光部４１に送信できるようにする。
第１制御部４又はサーバー３７は、アンケート結果と共に、外気温、運転前の室温、部屋干し運転モードの運転時間、設定温度、風量、日時情報などを記憶部に記憶させる。
空気調和機１８を部屋干し運転モードで運転させるたびに、このようなアンケート結果、運転条件及び日時情報を第１制御部４の記憶部又はサーバー３７の記憶部に記憶させ蓄積させる（蓄積データ）。
【００３４】
第２実施形態では、部屋干し運転モードにおいて、第１制御部４又はサーバー３７は、洗濯機３０の重量測定部２６により測定した洗濯物２１の重量（洗濯物情報）を受信する。そして、受信した洗濯物２１の重量（洗濯物情報）及び前記蓄積データに基づき、第１制御部４又はサーバー３７は、部屋干し運転モードによる運転時間、設定温度、風量などを決定する。ユーザーのアンケート結果などの蓄積データを利用することにより第１制御部４又はサーバー３７は、洗濯物２１を乾燥させるのに最適な運転時間を算出することができる。また、サーバー３７が人工知能を有する場合、サーバー３７は人工知能の学習能力を利用して運転時間などを算出することができる。
【００３５】
次に、第１制御部４は、決定した運転時間、設定温度、風量などで熱交換部２、送風部３などを制御して洗濯物２１を乾燥させる。このことにより、洗濯物２１の量、部屋の大きさ、洗濯物２１の干し方などに合わせて空気調和機１８を運転させることができ、部屋干しした洗濯物２１を効率よく乾燥させることができる。
その他の構成は第１実施形態と同様である。また、第１実施形態についての記載は矛盾がない限り第２実施形態についても当てはまる。
【００３６】
第３実施形態
第３実施形態では、空気調和機１８は、部屋に干された洗濯物２１の温度を測定するように設けられた赤外線センサ１９を備える。赤外線センサ１９は、洗濯物２１からの赤外線放射を検出する赤外線検出素子を備える。
第１制御部４は、洗濯物２１からの赤外線放射に基づく赤外線センサ１９のセンサ信号を入力するように設けられる。
【００３７】
乾いていない洗濯物２１は気化熱により冷却されるため、周囲より温度が低くなる。このため、赤外線センサ１９を用いて第１制御部４は部屋干しした洗濯物２１の位置を検出することができる。このため、第１制御部４は、部屋干し運転モードでの運転において、空気調和機１８からの送風が洗濯物２１に当たるように室内ファン８及びルーバー１５を制御することができる。このことにより、洗濯物２１を効率的に乾かすことが可能になる。また、第１制御部４は、洗濯物２１の温度に応じて、冷房運転と暖房運転の切り替え、設定温度の変更などを行うことができる。
【００３８】
乾いた洗濯物２１は、周囲とほぼ同じ温度になるため、赤外線センサ１９を用いて第１制御部４は、洗濯物２１が乾いたことを検出することができる。このため、第１制御部４は、洗濯物２１が乾いたことを検出した後に部屋干し運転モードでの運転を終了するように空気調和機１８を制御することができる。
また、赤外線センサ１９を用いて検出した洗濯物２１の位置や乾き具合に基づき、情報機器３５を用いて、洗濯物２１の干す位置、サーキュレーション効果が狙える扇風機等の推奨位置、又は次回の部屋干しの際の洗濯物２１が乾燥しやすい場所をユーザーに案内することができる。
その他の構成は第１又は第２実施形態と同様である。また、第１又は第２実施形態についての記載は矛盾がない限り第３実施形態についても当てはまる。
【００３９】
第４実施形態
第４実施形態では、洗濯機３０の第２制御部２５は第２通信部２７を介してインターネット網３８、情報機器３５又はサーバー３７から天気情報を受信するように設けることができる。また、第２制御部２５は、天気情報に基づきサーバー３７により算出された洗濯制御情報を第２通信部２７を介して受信するように設けることができる。
天気情報は、例えば、洗濯機３０を設置した地域におけるピンポイント天気予報（天気、気温、湿度、風の強さ、黄砂情報、ＰＭ２５情報、花粉情報など）である。例えば、洗濯機３０を設置した家の郵便番号をサーバー３７に登録し、この郵便番号の住所がある地域の天気情報を第２制御部２５又はサーバー３７が受信できるようにする。サーバー３７は、受信した天気情報に基づき、脱水時間などの洗濯制御情報を算出することができる。
第２制御部２５は、天気情報又は洗濯制御情報に基づき、洗濯時の脱水時間を変更するように洗濯機３０を制御する。例えば、洗濯機３０を設置した地域の天気予報が雨であることを第２制御部２５又はサーバー３７が受信すると、洗濯物２１を部屋干しする可能性が高いため、第２制御部２５は、脱水時間を長くするように洗濯機３０を制御する。
その他の構成は第１〜第３実施形態と同様である。また、第１〜第３実施形態についての記載は矛盾がない限り第４実施形態についても当てはまる。
【００４０】
第５実施形態
第５実施形態では、洗濯機３０は通知部２９を備える。通知部２９は、ユーザーに情報を通知する部分であり、音声として情報をユーザーに通知する部分であってもよく、情報を表示する表示部であってもよく、ランプを点灯させることにより情報をユーザーに通知する部分であってもよい。
サーバー３７又は洗濯機３０の第２制御部２５は、洗濯開始前又は洗濯後において、インターネット網３８などから天気情報を受信するように設けられる。天気情報は、例えば、洗濯機３０を設置した地域におけるピンポイント天気予報（天気、気温、湿度、風の強さ、黄砂情報、ＰＭ２５情報、花粉情報など）である。
【００４１】
例えば、洗濯物２１を干す時間帯の天気予報が雨の場合、第２制御部２５又はサーバー３７は、部屋干しして空気調和機１８の部屋干し運転モードで洗濯物２１を乾燥させたほうがよいと判断して、このことを通知部２９を介してユーザーに通知する。このことにより、突然の雨で洗濯物２１を取り込む作業を省略することができる。
例えば、洗濯物２１を干す時間帯の天気予報が雨でなく、黄砂の量、ＰＭ２５の量及び花粉の量が少ない場合、第２制御部２５又はサーバー３７は、洗濯物２１を外に干して乾燥させたほうがよいと判断して、このことを通知部２９を介してユーザーに通知する。
その他の構成は第１〜第４実施形態と同様である。また、第１〜第４実施形態についての記載は矛盾がない限り第５実施形態についても当てはまる。
【００４２】
第６実施形態
第６実施形態では、洗濯機３０の第２通信部２７が送信した情報を情報機器３５が受信する。例えば、洗濯機３０により洗濯が終了した場合、第２通信部２７は、洗濯が終了したことを表す信号をサーバー３７に送信し、この信号を情報機器３５がサーバー３７から受信する。
情報機器３５は、洗濯が終了したことを表す信号を受信すると、インターネット網３８又はサーバー３７から天気情報を受信する。天気情報は、例えば、洗濯機３０を設置した地域におけるピンポイント天気予報である。
【００４３】
例えば、洗濯物２１を干す時間帯の天気予報が雨の場合、情報機器３５は、部屋干しして空気調和機１８の部屋干し運転モードで洗濯物２１を乾燥させたほうがよいことを画像、動画、音声などとしてユーザーに通知する。このことにより、突然の雨で洗濯物２１を取り込む作業を省略することができる。
例えば、洗濯物２１を干す時間帯の天気予報が雨でなく、黄砂の量、ＰＭ２５の量及び花粉の量が少ない場合、情報機器３５は、洗濯物２１を外に干して乾燥させたほうがよいことを画像、動画、音声などとしてユーザーに通知する。
例えば、情報機器３５は、洗濯終了後からの天気予報を参照して、夜中に雨が降るなら夜中の部屋干しをユーザーに勧めたり、朝から天気が回復するなら朝から干した方が良いことをユーザーに通知する。
その他の構成は第１〜第５実施形態と同様である。また、第１〜第５実施形態についての記載は矛盾がない限り第６実施形態についても当てはまる。
【符号の説明】
【００４４】
２：熱交換部    ３：送風部    ４：第１制御部    ５：第１通信部    ６：室内熱交換器    ７：室外熱交換器    ８：室内ファン    ９：室外ファン    １０：室温温度計    １１：室外温度計    １２：圧縮機    １３：冷媒流路    １４：湿度センサ    １５：ルーバー    １６：室内機    １７：室外機    １８：空気調和機    １９：赤外線センサ    ２０：回転槽    ２１：洗濯物    ２２：モータ    ２３：給水部    ２４：排水部    ２５：第２制御部    ２６：重量測定部    ２７：第２通信部    ２９：通知部    ３０：洗濯機    ３５：情報機器    ３６：ルーター    ３７：サーバー    ３８：インターネット網    ４１：赤外線受光部    ４２：リモコン
【図１】
2020034197.tif 000003
【図２】
2020034197.tif 000004